(57)【要約】  熱交換換気装置は、室内から室外へ流動する排気流（２１）を発生させる排気送風機（２）と、室外から室内へ流動する給気流（２２）を発生させる給気送風機（３）と、排気流（２１）が通過する一次通路と給気流（２２）が通過する二次通路とが形成されており排気流（２１）と給気流（２２）との熱交換を行う第１の熱交換器（４）および第２の熱交換器（５）と、を備える。第１の熱交換器（４）と第２の熱交換器（５）とは、一次通路の構成部材と二次通路の構成部材とが積層された方向である第１の方向に垂直な第２の方向に並べられている。第１の熱交換器（４）は、第１の方向において第１の側に第２の熱交換器（５）よりも突出している。第２の熱交換器（５）は、第１の方向において第１の側とは逆の第２の側に第１の熱交換器（４）よりも突出している。
2019106824.tif 000002
【特許請求の範囲】
【請求項１】
室内から室外へ流動する排気流を発生させる排気送風機と、
室外から室内へ流動する給気流を発生させる給気送風機と、
前記排気流が通過する一次通路と前記給気流が通過する二次通路とが形成されており前記排気流と前記給気流との熱交換を行う第１の熱交換器および第２の熱交換器と、
を備え、
前記第１の熱交換器と前記第２の熱交換器とは、前記一次通路の構成部材と前記二次通路の構成部材とが積層された方向である第１の方向に垂直な第２の方向に並べられており、
前記第１の熱交換器は、前記第１の方向において第１の側に前記第２の熱交換器よりも突出しており、
前記第２の熱交換器は、前記第１の方向において前記第１の側とは逆の第２の側に前記第１の熱交換器よりも突出していることを特徴とする熱交換換気装置。
【請求項２】
前記第１の熱交換器の前記第２の側には、前記第２の熱交換器の前記一次通路から流出した前記排気流が通過する第１の排気風路と、前記第２の熱交換器の前記二次通路へ流入させる前記給気流が通過する第１の給気風路とが形成されており、
前記第２の熱交換器の前記第１の側には、前記第１の熱交換器の前記一次通路へ流入させる前記排気流が通過する第２の排気風路と、前記第１の熱交換器の前記二次通路から流出した前記給気流が通過する第２の給気風路とが形成されていることを特徴とする請求項１に記載の熱交換換気装置。
【請求項３】
前記第１の熱交換器の前記二次通路へ流入させる前記給気流が通過する第３の給気風路と、前記第１の排気風路から流入した前記排気流が通過する第３の排気風路とは、前記第１の方向と前記第２の方向とに垂直な第３の方向へ配列されており、
前記第２の熱交換器の前記一次通路へ流入させる前記排気流が通過する第４の排気風路と、前記第２の給気風路から流入した前記給気流が通過する第４の給気風路とは、前記第３の方向へ配列されていることを特徴とする請求項２に記載の熱交換換気装置。
【請求項４】
前記第１の排気風路および前記第１の給気風路と、前記第３の排気風路および前記第３の給気風路との間に設けられた第１の仕切りと、
前記第２の排気風路および前記第２の給気風路と、前記第４の排気風路および前記第４の給気風路との間に設けられた第２の仕切りと、
を備えることを特徴とする請求項３に記載の熱交換換気装置。
【請求項５】
前記第１の方向における前記第１の仕切りと前記第２の仕切りとの間の範囲において、前記第１の熱交換器と前記第２の熱交換器との間に設けられた第３の仕切りを備えることを特徴とする請求項４に記載の熱交換換気装置。
【請求項６】
前記第１の方向と前記第２の方向とに垂直な第３の方向へ配列された複数の前記第１の熱交換器と、
前記第３の方向へ配列された複数の前記第２の熱交換器と、
を備えることを特徴とする請求項１から５のいずれか１つに記載の熱交換換気装置。
【請求項７】
前記第１の側は、前記第１の方向である鉛直方向における上方側であり、
前記第２の側は、前記鉛直方向における下方側であることを特徴とする請求項１から６のいずれか１つに記載の熱交換換気装置。
【発明の詳細な説明】
【技術分野】
【０００１】
本発明は、給気流と排気流との熱交換を行いながら換気を行う熱交換換気装置に関する。
【背景技術】
【０００２】
従来、複数の熱交換器を備える熱交換換気装置が知られている。複数の熱交換器は、１つの熱交換器を流れた気流が他の熱交換器へ流入するように直列に配置される場合と、１つの熱交換器と他の熱交換器とへ気流が互いに分かれて流入するように並列に配置される場合とがある。特許文献１には、並列に配置された２個の熱交換器を備える熱交換換気装置が開示されている。
【先行技術文献】
【特許文献】
【０００３】
【特許文献１】特許第４３９１０９９号公報
【発明の概要】
【発明が解決しようとする課題】
【０００４】
熱交換換気装置は、気流が通る各層を積層させた方向における熱交換器の高さを拡張させることで、圧力損失を低減可能とする。その一方で、上記の特許文献１に開示されるように複数の熱交換器が並列に配置される場合において、熱交換換気装置において要求されるサイズ内にて熱交換器を収容するために、熱交換器の高さに制限が課せられる場合がある。このため、従来の技術では、熱交換換気装置において要求されるサイズ内にて熱交換器を収容しつつ圧力損失を低減することが困難であるという問題があった。【０００５】
本発明は、上記に鑑みてなされたものであって、熱交換換気装置において要求されるサイズ内にて熱交換器を収容しつつ圧力損失を低減することが可能な熱交換換気装置を得ることを目的とする。
【課題を解決するための手段】
【０００６】
上述した課題を解決し、目的を達成するために、本発明にかかる熱交換換気装置は、室内から室外へ流動する排気流を発生させる排気送風機と、室外から室内へ流動する給気流を発生させる給気送風機と、排気流が通過する一次通路と給気流が通過する二次通路とが形成されており排気流と給気流との熱交換を行う第１の熱交換器および第２の熱交換器と、を備える。第１の熱交換器と第２の熱交換器とは、一次通路の構成部材と二次通路の構成部材とが積層された方向である第１の方向に垂直な第２の方向に並べられている。第１の熱交換器は、第１の方向において第１の側に第２の熱交換器よりも突出している。第２の熱交換器は、第１の方向において第１の側とは逆の第２の側に第１の熱交換器よりも突出している。
【発明の効果】
【０００７】
本発明にかかる熱交換換気装置は、熱交換換気装置において要求されるサイズ内にて熱交換器を収容しつつ圧力損失を低減することができるという効果を奏する。
【図面の簡単な説明】
【０００８】
【図１】本発明の実施の形態１にかかる熱交換換気装置の構成を示す図
【図２】図１に示す第１の熱交換器と第２の熱交換器とを示す図
【図３】図２に示す第１の熱交換器の斜視図
【図４】図１に示す熱交換換気装置のケーシング内における風路の配置について説明する図
【図５】図４に示すケーシングのV−V線における断面図
【図６】図４に示すケーシングのVI−VI線における断面図
【図７】図４に示すケーシングのVII−VII線における断面図
【図８】図４に示すケーシングのVIII−VIII線における断面図
【図９】図４に示すケーシングの内部の構成を示す第１の斜視図
【図１０】図４に示すケーシングの内部の構成を示す第２の斜視図
【図１１】図４に示すケーシング内における排気流の進行について説明する図
【図１２】図４に示すケーシング内における給気流の進行について説明する図
【発明を実施するための形態】
【０００９】
以下に、本発明の実施の形態にかかる熱交換換気装置を図面に基づいて詳細に説明する。なお、この実施の形態によりこの発明が限定されるものではない。
【００１０】
実施の形態１．
図１は、本発明の実施の形態１にかかる熱交換換気装置の構成を示す図である。熱交換換気装置である換気装置１００は、排気流２１と給気流２２との熱交換を行いながら換気を行う。排気流２１は、室内から換気装置１００を通って室外へ排出される空気流である。給気流２２は、室外から換気装置１００を通って室内へ供給される空気流である。換気装置１００は、室内から室外への排気と室外から室内への給気とにより室内を換気することで、室内の快適な空気環境を維持する。また、換気装置１００は、排気流２１と給気流２２との熱交換により、室内へ取り込まれる空気と室内の空気との温度差および湿度差を小さくして、室内の空調負担を低減させる。
【００１１】
実施の形態１において、換気装置１００は、大風量での給気と排気とを可能とするエアーハンドリングユニット（Air  Handling  Unit，ＡＨＵ）とする。換気装置１００は、室内の床に設置される。換気装置１００は、室内の天井に設置されるものであっても良く、あるいは建物の屋上などの屋外に設置されるものであっても良い。
【００１２】
実施の形態１において、Ｘ軸と、Ｙ軸と、Ｚ軸とは、互いに垂直な３軸とする。Ｚ軸は、鉛直方向の軸とする。第１の方向であるＺ軸方向は、Ｚ軸に平行な方向とする。第２の方向であるＹ軸方向は、Ｙ軸に平行な方向とする。第３の方向であるＸ軸方向は、Ｘ軸に平行な方向とする。各図において、Ｚ軸方向のうち矢印で示す方向をプラスＺ方向、矢印とは逆の方向をマイナスＺ方向とする。プラスＺ方向は、鉛直上方向である。マイナスＺ方向は、鉛直下方向である。Ｙ軸方向のうち矢印で示す方向をプラスＹ方向、矢印とは逆の方向をマイナスＹ方向とする。Ｘ軸方向のうち矢印で示す方向をプラスＸ方向、矢印とは逆の方向をマイナスＸ方向とする。
【００１３】
換気装置１００は、室内から室外へ流動する排気流を発生させる排気送風機２と、室外から室内へ流動する給気流を発生させる給気送風機３とを備える。排気送風機２は、室内からの空気を取り込み、取り込まれた空気を室外へ送る。給気送風機３は、室外からの空気を取り込み、取り込まれた空気を室内へ送る。
【００１４】
換気装置１００は、排気流２１と給気流２２との熱交換を行う第１の熱交換器４および第２の熱交換器５を備える。排気送風機２と、給気送風機３と、第１の熱交換器４と、第２の熱交換器５とは、ケーシング１に収納されている。ケーシング１は、上面１Ａおよび下面１Ｂと、４つの側面１Ｃ，１Ｄ，１Ｅ，１Ｆとの６つの面を有する箱体である。図１には、６つの面のうちの４つである上面１Ａ、下面１Ｂおよび２つの側面１Ｃ，１Ｄを示している。側面１Ｅは、図１の紙面より奥側に位置する。側面１Ｆは、図１の紙面より手前側に位置している。図１には、ケーシング１の内部に設けられている構成要素を模式的に表している。ケーシング１の内部には、排気流２１が通過する風路と給気流２２が通過する風路とが設けられている。
【００１５】
給気吸込口６と排気吹出口７とは、ケーシング１のうちマイナスＹ方向側の側面１Ｃに設けられている。給気吹出口８と排気吸込口９とは、ケーシング１のうちプラスＹ方向側の側面１Ｄに設けられている。給気吸込口６へ吸い込まれた給気流２２は、ケーシング１内においてプラスＹ方向へ流れて、給気吹出口８から吹き出される。排気吸込口９へ吸い込まれた排気流２１は、ケーシング１内においてマイナスＹ方向へ流れて、排気吹出口７から吹き出される。
【００１６】
換気装置１００は、室外の空気を給気吸込口６から給気風路１１Ａへ取り込む。給気風路１１Ａへ取り込まれた空気は、給気風路１１Ｂを通過して、給気吹出口８から室内へ向けて吹き出される。また、換気装置１００は、室内の空気を排気吸込口９から排気風路１２Ａへ取り込む。排気風路１２Ａへ取り込まれた空気は、排気風路１２Ｂを通過して、排気吹出口７から室外へ向けて吹き出される。
【００１７】
給気風路１１Ａ，１１Ｂは、ケーシング１のうち上面１Ａ側に設けられている。排気風路１２Ａ，１２Ｂは、ケーシング１のうち下面１Ｂ側に設けられている。仕切板１３は、給気風路１１Ａと排気風路１２Ｂとを仕切る。仕切板１４は、給気風路１１Ｂと排気風路１２Ａとを仕切る。
【００１８】
第１の熱交換器４と第２の熱交換器５とは、Ｙ軸方向に並べられている。第１の熱交換器４は、Ｚ軸方向において、第１の側であるマイナスＺ方向側に第２の熱交換器５よりも突出している。第２の熱交換器５は、Ｚ軸方向において、第１の側とは逆の第２の側であるプラスＺ方向側に第１の熱交換器４よりも突出している。第１の熱交換器４のうち第２の熱交換器５よりもマイナスＺ方向側へ突出している部分以外の部分と、第２の熱交換器５のうち第１の熱交換器４よりもプラスＺ方向へ突出している部分以外の部分とは、Ｚ軸方向において同じ高さ範囲に位置している。
【００１９】
仕切板１５は、給気風路１１Ａおよび排気風路１２ＢのプラスＹ方向側に設けられている。仕切板１５は、給気風路１１Ａおよび排気風路１２Ｂを備える空間と、第１の熱交換器４および第２の熱交換器５を含む空間とを仕切る。仕切板１５には、排気流２１を通過させる開口と給気流２２を通過させる開口とが設けられている。
【００２０】
仕切板１６は、給気風路１１Ｂおよび排気風路１２ＡのマイナスＹ方向側に設けられている。仕切板１６は、給気風路１１Ｂおよび排気風路１２Ａを備える空間と、第１の熱交換器４および第２の熱交換器５を含む空間とを仕切る。仕切板１６には、排気流２１を通過させる開口と給気流２２を通過させる開口とが設けられている。ケーシング１内の空間は、２つの仕切板１５，１６により、給気風路１１Ａおよび排気風路１２Ｂを備える空間と、第１の熱交換器４および第２の熱交換器５を含む空間と、給気風路１１Ｂおよび排気風路１２Ａである空間とに仕切られている。かかる３つの空間は、Ｙ軸方向へ一列に配置されている。
【００２１】
第１の仕切りである仕切板１７は、第１の熱交換器４のプラスＺ方向側に設けられている。仕切板１７のうちマイナスＹ方向側の端は、仕切板１５に当てられている。第１の熱交換器４は、仕切板１７と下面１Ｂとの間の空間に配置されている。第２の仕切りである仕切板１８は、第２の熱交換器５のマイナスＺ方向側に設けられている。仕切板１８のうちプラスＹ方向側の端は、仕切板１６に当てられている。第２の熱交換器５は、仕切板１８と上面１Ａとの間の空間に配置されている。
【００２２】
第３の仕切りである仕切板１９は、第１の熱交換器４と第２の熱交換器５との間に設けられている。仕切板１９は、Ｚ軸方向における仕切板１７と仕切板１８との間の高さ範囲において、第１の熱交換器４が設けられている空間と第２の熱交換器５が設けられている空間とを仕切る。仕切板１９のうちプラスＺ方向側の端は、仕切板１７のうちプラスＹ方向側の端に当てられている。仕切板１９のうちマイナスＺ方向側の端は、仕切板１８のうちマイナスＹ方向側の端に当てられている。
【００２３】
図２は、図１に示す第１の熱交換器４と第２の熱交換器５とを示す図である。換気装置１００は、第１の熱交換器４である３個の熱交換器４Ａ，４Ｂ，４Ｃと、第２の熱交換器である３個の熱交換器５Ａ，５Ｂ，５Ｃを備える。各熱交換器４Ａ，４Ｂ，４Ｃ，５Ａ，５Ｂ，５Ｃの形状は、いずれも同じである。
【００２４】
熱交換器４Ａ，４Ｂ，４Ｃは、Ｘ軸方向へ一列に配置されている。熱交換器５Ａ，５Ｂ，５Ｃは、Ｘ軸方向へ一列に配置されている。熱交換器５Ａ，５Ｂ，５Ｃの列は、熱交換器４Ａ，４Ｂ，４Ｃの列のプラスＹ方向側に配置されている。
【００２５】
換気装置１００は、６個の熱交換器４Ａ，４Ｂ，４Ｃ，５Ａ，５Ｂ，５Ｃを２つの列に分けて、２つの列をＹ軸方向へ並べたことで、６個の熱交換器４Ａ，４Ｂ，４Ｃ，５Ａ，５Ｂ，５ＣをＸ軸方向へ一列に並列させる場合よりも、Ｘ軸方向における換気装置１００のサイズを小さくすることができる。換気装置１００は、第１の熱交換器４の列のプラスＹ方向側に第２の熱交換器５の列を配置したことで、第１の熱交換器４の列のプラスＺ方向側に第２の熱交換器５の列を配置する場合よりも、Ｚ軸方向における換気装置１００のサイズを小さくすることができる。
【００２６】
図３は、図２に示す第１の熱交換器４の斜視図である。図３には、第１の熱交換器４の１つである熱交換器４Ａを示している。熱交換器４Ａは、熱交換器４Ａを通過する排気流２１の進行方向と給気流２２の進行方向とが互いに垂直である直交流型の全熱交換素子である。なお、図３では、Ｙ軸方向とＺ軸方向とを同じ矢印により表している。図２に示す熱交換器４Ｂ，４Ｃ，５Ａ，５Ｂ，５Ｃは、熱交換器４Ａと同様に構成されている。
【００２７】
熱交換器４Ａは、互いに間隔が設けられて配置された複数のシート材３３と、複数のシート材３３の間隔を保持する間隔保持部材３４とを備える。熱交換器４Ａは、シート材３３と間隔保持部材３４とを積層させて構成された積層体である。シート材３３は、平坦に加工された板材である。間隔保持部材３４は、波形の凹凸が施されたシート部材である。シート材３３と間隔保持部材３４とは、互いに接合されている。
【００２８】
間隔保持部材３４は、波形の折り目の方向が互いに垂直となるように向きを異ならせた間隔保持部材３４Ａと間隔保持部材３４Ｂとを含む。間隔保持部材３４Ｂとシート材３３との間に形成される空間は、排気流２１が通過する一次通路３１である。間隔保持部材３４Ａとシート材３３との間に形成される空間は、給気流２２が通過する二次通路３２である。熱交換器４Ａには、複数の一次通路３１と複数の二次通路３２とが形成されている。シート材３３と、一次通路３１の構成部材である間隔保持部材３４Ｂと、二次通路３２の構成部材である間隔保持部材３４Ａとは、Ｚ軸方向へ積層されている。シート材３３では、排気流２１と給気流２２とを混合させずに、一次通路３１を通過する排気流２１と二次通路３２を通過する給気流２２との間の顕熱交換と潜熱交換とが行われる。
【００２９】
熱交換換気装置における給気および排気の風量が大きくなるにしたがい、熱交換器では、通気抵抗の増大により圧力損失が増大する場合がある。熱交換器のうち気流が通る各層を積層させた方向における熱交換器のサイズを拡張することで、熱交換器での圧力損失を抑制させ得る。
【００３０】
実施の形態１では、第１の熱交換器４の一部と第２の熱交換器５の一部とは、Ｚ軸方向において同じ高さ範囲に位置している。これにより、換気装置１００は、第１の熱交換器４と第２の熱交換器５とを単にＺ軸方向に並列する場合よりも、第１の熱交換器４と第２の熱交換器５とをコンパクトに収容することができる。
【００３１】
また、換気装置１００は、第１の熱交換器４と第２の熱交換器５とを単にＺ軸方向に並列する場合に比べて、第１の熱交換器４のＺ軸方向のサイズと第２の熱交換器５のＺ軸方向のサイズとを拡張させる場合における構成の大型化を緩和できる。気流が通る各層を積層させた方向であるＺ軸方向のサイズを拡張させることで、第１の熱交換器４と第２の熱交換器５とにおける通気抵抗が低減される。換気装置１００は、通気抵抗の低減により、第１の熱交換器４と第２の熱交換器５とにおける圧力損失を低減できる。給気および排気の風量が大きくなるにしたがい圧力損失は増大することになるため、実施の形態１における第１の熱交換器４と第２の熱交換器５との配置は、大風量での給気と排気とを行う換気装置１００に適している。換気装置１００は、複数の熱交換器である第１の熱交換器４と第２の熱交換器５とを並列させることによっても、１つの熱交換器のみを備える場合に比べて圧力損失を低くすることができる。これにより、換気装置１００は、限られたサイズ内にて第１の熱交換器４と第２の熱交換器５とを収容しつつ圧力損失を低減することができる。
【００３２】
次に、換気装置１００における風路の配置について説明する。図４は、図１に示す熱交換換気装置のケーシング１内における風路の配置について説明する図である。図４には、側面１Ｆが取り外された状態におけるケーシング１の内部を示している。ケーシング１と仕切板１３，１４，１５，１６，１７，１８，１９とにはハッチングを付している。図４には、熱交換器４Ａ，４Ｂ，４Ｃのうち最もプラスＸ方向側に位置する熱交換器４Ｃと、熱交換器５Ａ，５Ｂ，５Ｃのうち最もプラスＸ方向側に位置する熱交換器５Ｃとを示している。なお、図４では、排気送風機２と給気送風機３とを省略している。
【００３３】
仕切板１７と上面１Ａとの間の空間は、Ｘ軸方向に並列する複数の風路２３に分割されている。図４には、複数の風路２３のうち最もプラスＸ方向側の１つを示している。複数の風路２３は、仕切板１５と熱交換器５Ａ，５Ｂ，５Ｃとの間に形成されている。
【００３４】
仕切板１８と下面１Ｂとの間の空間は、Ｘ軸方向に並列する複数の風路２４に分割されている。図４には、複数の風路２４のうち最もプラスＸ方向側の１つを示している。複数の風路２４は、仕切板１６と熱交換器４Ａ，４Ｂ，４Ｃとの間に形成されている。
【００３５】
仕切板１８と上面１Ａとの間の空間は、Ｘ軸方向に並列する複数の風路２５に分割されている。図４には、複数の風路２５のうち最もプラスＸ方向側の１つを示している。複数の風路２５は、仕切板１６と熱交換器５Ａ，５Ｂ，５Ｃとの間に形成されている。
【００３６】
仕切板１７と下面１Ｂとの間の空間は、Ｘ軸方向に並列する複数の風路２６に分割されている。図４には、複数の風路２６のうち最もプラスＸ方向側の１つを示している。複数の風路２６は、仕切板１５と熱交換器４Ａ，４Ｂ，４Ｃとの間に形成されている。
【００３７】
図５は、図４に示すケーシング１のV−V線における断面図である。図６は、図４に示すケーシング１のVI−VI線における断面図である。図７は、図４に示すケーシング１のVII−VII線における断面図である。図８は、図４に示すケーシング１のVIII−VIII線における断面図である。図９は、図４に示すケーシング１の内部の構成を示す第１の斜視図である。図１０は、図４に示すケーシング１の内部の構成を示す第２の斜視図である。図９は、ケーシング１の内部の構成をプラスＹ方向側から斜めに見た状態を示している。図１０は、ケーシング１の内部の構成をマイナスＹ方向側から斜めに見た状態を示している。
【００３８】
図４に示すV−V線は、上面１Ａと仕切板１７との間の断面を示す。図４に示すVI−VI線は、仕切板１７と仕切板１３，１４との間の断面を示す。図４に示すVII−VII線は、仕切板１３，１４と仕切板１８との間の断面を示す。図４に示すVIII−VIII線は、仕切板１８と下面１Ｂとの間の断面を示す。なお、図５から図８では、図４に示すケーシング１のうち仕切板１５よりマイナスＹ方向側の部分と仕切板１６よりプラスＹ方向側の部分とを省略している。図５から図８において、熱交換器４Ａ，４Ｂ，４Ｃ，５Ａ，５Ｂ，５Ｃにはドットを付している。
【００３９】
図５に示すように、側面１Ｅと側面１Ｆとの間には、複数の風路２３である４つの風路２３Ａ，２３Ｂ，２３Ｃ，２３Ｄが形成されている。仕切板４１Ａは、２つの風路２３Ａ，２３Ｂを仕切る。仕切板４１Ｂは、２つの風路２３Ｂ，２３Ｃを仕切る。仕切板４１Ｃは、２つの風路２３Ｃ，２３Ｄを仕切る。仕切板４１Ａ，４１Ｂ，４１ＣのうちマイナスＹ方向側の端は、仕切板１５に当てられている。仕切板４１ＡのうちプラスＹ方向側の端は、熱交換器５ＡのうちマイナスＹ方向へ向けられた稜線に当てられている。仕切板４１ＢのうちプラスＹ方向側の端は、熱交換器５ＢのうちマイナスＹ方向へ向けられた稜線に当てられている。仕切板４１ＣのうちプラスＹ方向側の端は、熱交換器５ＣのうちマイナスＹ方向へ向けられた稜線に当てられている。仕切板４１Ａ，４１Ｂ，４１ＣのプラスＺ方向側の端は、上面１Ａに当てられている。仕切板４１Ａ，４１Ｂ，４１ＣのマイナスＺ方向側の端は、仕切板１７に当てられている。
【００４０】
図５、図６および図７に示すように、側面１Ｅと側面１Ｆとの間には、複数の風路２５である４つの風路２５Ａ，２５Ｂ，２５Ｃ，２５Ｄが形成されている。仕切板４２Ａは、２つの風路２５Ａ，２５Ｂを仕切る。仕切板４２Ｂは、２つの風路２５Ｂ，２５Ｃを仕切る。仕切板４２Ｃは、２つの風路２５Ｃ，２５Ｄを仕切る。仕切板４２Ａ，４２Ｂ，４２ＣのうちプラスＹ方向側の端は、仕切板１６に当てられている。仕切板４２ＡのうちマイナスＹ方向側の端は、熱交換器５ＡのうちプラスＹ方向へ向けられた稜線に当てられている。仕切板４２ＢのうちマイナスＹ方向側の端は、熱交換器５ＢのうちプラスＹ方向へ向けられた稜線に当てられている。仕切板４２ＣのうちマイナスＹ方向側の端は、熱交換器５ＣのうちプラスＹ方向へ向けられた稜線に当てられている。仕切板４２Ａ，４２Ｂ，４２ＣのプラスＺ方向側の端は、上面１Ａに当てられている。仕切板４２Ａ，４２Ｂ，４２ＣのマイナスＺ方向側の端は、仕切板１８に当てられている。
【００４１】
図６、図７および図８に示すように、側面１Ｅと側面１Ｆとの間には、複数の風路２６である４つの風路２６Ａ，２６Ｂ，２６Ｃ，２６Ｄが形成されている。仕切板４３Ａは、２つの風路２６Ａ，２６Ｂを仕切る。仕切板４３Ｂは、２つの風路２６Ｂ，２６Ｃを仕切る。仕切板４３Ｃは、２つの風路２６Ｃ，２６Ｄを仕切る。仕切板４３Ａ，４３Ｂ，４３ＣのうちマイナスＹ方向側の端は、仕切板１５に当てられている。仕切板４３ＡのうちプラスＹ方向側の端は、熱交換器４ＡのうちマイナスＹ方向へ向けられた稜線に当てられている。仕切板４３ＢのうちプラスＹ方向側の端は、熱交換器４ＢのうちマイナスＹ方向へ向けられた稜線に当てられている。仕切板４３ＣのうちプラスＹ方向側の端は、熱交換器４ＣのうちマイナスＹ方向へ向けられた稜線に当てられている。仕切板４３Ａ，４３Ｂ，４３ＣのうちプラスＺ方向側の端は、仕切板１７に当てられている。仕切板４３Ａ，４３Ｂ，４３ＣのうちマイナスＺ方向側の端は、下面１Ｂに当てられている。仕切板４３Ａ，４３Ｂ，４３Ｃは、仕切板１７を支持可能に下面１Ｂ上に立てられている。
【００４２】
図８に示すように、側面１Ｅと側面１Ｆとの間には、複数の風路２４である４つの風路２４Ａ，２４Ｂ，２４Ｃ，２４Ｄが形成されている。仕切板５０Ａは、２つの風路２４Ａ，２４Ｂを仕切る。仕切板５０Ｂは、２つの風路２４Ｂ，２４Ｃを仕切る。仕切板５０Ｃは、２つの風路２４Ｃ，２４Ｄを仕切る。仕切板５０Ａ，５０Ｂ，５０ＣのうちプラスＹ方向側の端は、仕切板１６に当てられている。仕切板５０ＡのうちマイナスＹ方向側の端は、熱交換器４ＡのうちプラスＹ方向へ向けられた稜線に当てられている。仕切板５０ＢのうちマイナスＹ方向側の端は、熱交換器４ＢのうちプラスＹ方向へ向けられた稜線に当てられている。仕切板５０ＣのうちマイナスＹ方向側の端は、熱交換器４ＣのうちプラスＹ方向へ向けられた稜線に当てられている。仕切板５０Ａ，５０Ｂ，５０ＣのプラスＺ方向側の端は、仕切板１８に当てられている。仕切板５０Ａ，５０Ｂ，５０ＣのマイナスＺ方向側の端は、下面１Ｂに当てられている。仕切板５０Ａ，５０Ｂ，５０Ｃは、仕切板１８を支持可能に下面１Ｂ上に立てられている。
【００４３】
図５、図６および図１０に示すように、仕切板１５のうち仕切板１３よりプラスＺ方向側には、２つの開口４４Ａ，４４Ｂが形成されている。開口４４Ａは、仕切板１７よりプラスＺ方向側では、図５および図１０に示すように２つの仕切板４１Ａ，４１Ｂの間に形成されている。開口４４Ａは、仕切板１７よりマイナスＺ方向側では、図６および図１０に示すように２つの仕切板４３Ａ，４３Ｂの間に形成されている。開口４４Ｂは、仕切板１７よりプラスＺ方向側では、図５および図１０に示すように仕切板４１Ｃと側面１Ｆとの間に形成されている。開口４４Ｂは、仕切板１７よりマイナスＺ方向側では、図６および図１０に示すように仕切板４３Ｃと側面１Ｆとの間に形成されている。
【００４４】
図５に示すように、風路２３Ｂは、開口４４Ａを通じて給気風路１１Ａに繋げられている。風路２３Ｄは、開口４４Ｂを通じて給気風路１１Ａに繋げられている。２つの風路２３Ａ，２３ＣのマイナスＹ方向側の端は、仕切板１５により塞がれている。
【００４５】
図６に示すように、仕切板１３よりプラスＺ方向側において、風路２６Ｂは、開口４４Ａを通じて給気風路１１Ａに繋げられている。仕切板１３よりプラスＺ方向側において、風路２６Ｄは、開口４４Ｂを通じて給気風路１１Ａに繋げられている。仕切板１３よりプラスＺ方向側において、２つの風路２６Ａ，２６ＣのマイナスＹ方向側の端は、仕切板１５により塞がれている。
【００４６】
図７、図８および図１０に示すように、仕切板１５のうち仕切板１３よりマイナスＺ方向側には、２つの開口４８Ａ，４８Ｂが形成されている。開口４８Ａは、側面１Ｅと仕切板４３Ａとの間に形成されている。開口４８Ｂは、２つの仕切板４３Ｂ，４３Ｃの間に形成されている。
【００４７】
図７および図８に示すように、仕切板１３よりマイナスＺ方向側において、風路２６Ａは、開口４８Ａを通じて排気風路１２Ｂに繋げられている。仕切板１３よりマイナスＺ方向側において、風路２６Ｃは、開口４８Ｂを通じて排気風路１２Ｂに接続されている。仕切板１３よりマイナスＺ方向側において、２つの風路２６Ｂ，２６ＤのマイナスＹ方向側の端は、仕切板１５により塞がれている。
【００４８】
図５、図６および図９に示すように、仕切板１６のうち仕切板１４よりプラスＺ方向側には、２つの開口４５Ａ，４５Ｂが形成されている。開口４５Ａは、側面１Ｅと仕切板４２Ａとの間に形成されている。開口４５Ｂは、２つの仕切板４２Ｂ，４２Ｃの間に形成されている。
【００４９】
図５および図６に示すように、仕切板１４よりプラスＺ方向側において、風路２５Ａは、開口４５Ａを通じて給気風路１１Ｂに繋げられている。仕切板１４よりプラスＺ方向側において、風路２５Ｃは、開口４５Ｂを通じて給気風路１１Ｂに繋げられている。仕切板１４よりプラスＺ方向側において、２つの風路２５Ｂ，２５ＤのプラスＹ方向側の端は、仕切板１６により塞がれている。
【００５０】
図７、図８および図９に示すように、仕切板１６のうち仕切板１４よりマイナスＺ方向側には、２つの開口４９Ａ，４９Ｂが形成されている。開口４９Ａは、仕切板１８よりプラスＺ方向側では、図７および図９に示すように２つの仕切板４２Ａ，４２Ｂの間に形成されている。開口４９Ａは、仕切板１８よりマイナスＺ方向側では、図８および図９に示すように２つの仕切板５０Ａ，５０Ｂの間に形成されている。開口４９Ｂは、仕切板１８よりプラスＺ方向側では、図７および図９に示すように仕切板４２Ｃと側面１Ｆとの間に形成されている。開口４９Ｂは、仕切板１８よりマイナスＺ方向側では、図８および図９に示すように仕切板５０Ｃと側面１Ｆとの間に形成されている。
【００５１】
図７に示すように、仕切板１４よりマイナスＺ方向側において、風路２５Ｂは、開口４９Ａを通じて排気風路１２Ａに繋げられている。仕切板１４よりマイナスＺ方向側において、風路２５Ｄは、開口４９Ｂを通じて排気風路１２Ａに繋げられている。仕切板１４よりマイナスＺ方向側において、２つの風路２５Ａ，２５ＣのプラスＹ方向側の端は、仕切板１６により塞がれている。
【００５２】
図８に示すように、風路２４Ｂは、開口４９Ａを通じて排気風路１２Ａに繋げられている。風路２４Ｄは、開口４９Ｂを通じて排気風路１２Ａに繋げられている。２つの風路２４Ａ，２４ＣのプラスＹ方向側の端は、仕切板１６により塞がれている。
【００５３】
図５および図１０に示すように、仕切板１７には、２つの開口４６Ａ，４６Ｂが形成されている。開口４６Ａは、仕切板１７のうち図５に示す風路２３Ａと図６に示す風路２６Ａとを仕切る部分に設けられている。開口４６Ａは、熱交換器４ＡのうちマイナスＹ方向へ向けられた稜線とマイナスＸ方向へ向けられた稜線との間の面と側面１Ｅとの間に形成されている。風路２３Ａと風路２６Ａとは、開口４６Ａを通じて繋げられている。
【００５４】
開口４６Ｂは、仕切板１７のうち図５に示す風路２３Ｃと図６に示す風路２６Ｃとを仕切る部分に設けられている。開口４６Ｂは、熱交換器４ＢのうちマイナスＹ方向へ向けられた稜線とプラスＸ方向へ向けられた稜線との間の面と、熱交換器４ＣのうちマイナスＹ方向へ向けられた稜線とマイナスＸ方向へ向けられた稜線との間の面との間に形成されている。風路２３Ｃと風路２６Ｃとは、開口４６Ｂを通じて繋げられている。
【００５５】
図５、図６および図７に示すように、仕切板１８には、２つの開口４７Ａ，４７Ｂが形成されている。開口４７Ａは、仕切板１８のうち図５、図６および図７に示す風路２５Ａと図８に示す風路２４Ａとを仕切る部分に設けられている。開口４７Ａは、熱交換器５ＡのうちプラスＹ方向へ向けられた稜線とマイナスＸ方向へ向けられた稜線との間の面と側面１Ｅとの間に形成されている。風路２５Ａと風路２４Ａとは、開口４７Ａを通じて繋げられている。
【００５６】
開口４７Ｂは、仕切板１８のうち図５、図６および図７に示す風路２５Ｃと図８に示す風路２４Ｃとを仕切る部分に設けられている。開口４７Ｂは、熱交換器５ＢのうちプラスＹ方向へ向けられた稜線とプラスＸ方向へ向けられた稜線との間の面と、熱交換器５ＣのうちプラスＹ方向へ向けられた稜線とマイナスＸ方向へ向けられた稜線との間の面との間に形成されている。風路２５Ｃと風路２４Ｃとは、開口４７Ｂを通じて繋げられている。
【００５７】
次に、図５から図８、図１１および図１２を参照して、換気装置１００における排気流２１と給気流２２との進行について説明する。図１１は、図４に示すケーシング１内における排気流２１の進行について説明する図である。図１２は、図４に示すケーシング１内における給気流２２の進行について説明する図である。図１１では、Ｙ軸方向およびＺ軸方向における排気流２１の進行を一点鎖線矢印により表している。図１２では、Ｙ軸方向およびＺ軸方向における給気流２２の進行を破線矢印により表している。なお、図５から図８では、Ｘ軸方向およびＹ軸方向における排気流２１の進行を一点鎖線矢印により表している。図５から図８では、Ｘ軸方向およびＹ軸方向における給気流２２の進行を破線矢印により表している。
【００５８】
図４に示す給気吸込口６から給気風路１１Ａへ進行した給気流２２のうち、開口４４Ａにて仕切板１７よりプラスＺ方向側を通った給気流２２Ａは、風路２３Ｂを進行して、２つの熱交換器５Ａ，５Ｂのいずれかに流入する。また、開口４４Ｂにて仕切板１７よりプラスＺ方向側を通った給気流２２Ａは、風路２３Ｄを進行して、熱交換器５Ｃに流入する。熱交換器５Ａの二次通路３２を通過した給気流２２Ａは、風路２５Ａを進行し、開口４５Ａを通って給気風路１１Ｂへ進行する。熱交換器５Ｂの二次通路３２を通過した給気流２２Ａと熱交換器５Ｃの二次通路３２を通過した給気流２２Ａとは、風路２５Ｃを進行し、開口４５Ｂを通って給気風路１１Ｂへ進行する。２つの風路２３Ｂ，２３Ｄは、第２の熱交換器５の二次通路３２へ流入させる給気流２２Ａが通過する第１の給気風路である。第１の給気風路である風路２３Ｂ，２３Ｄは、第１の熱交換器４のプラスＺ方向側に形成されている。
【００５９】
図４に示す給気吸込口６から給気風路１１Ａへ進行した給気流２２のうち、開口４４Ａにて仕切板１７よりマイナスＺ方向側を通った給気流２２Ｂは、風路２６Ｂを進行して、２つの熱交換器４Ａ，４Ｂのいずれかに流入する。また、開口４４Ｂにて仕切板１７よりマイナスＺ方向側を通った給気流２２Ｂは、風路２６Ｄを進行して、熱交換器４Ｃに流入する。２つの風路２６Ｂ，２６Ｄは、第１の熱交換器４の二次通路３２へ流入させる給気流２２Ｂが通過する第３の給気風路である。
【００６０】
熱交換器４Ａの二次通路３２を通過した給気流２２Ｂは、仕切板１９での衝突によりマイナスＺ方向へ進行して、図８に示す風路２４Ａに流入する。風路２４Ａを進行した給気流２２Ｂは、図６に示すように、開口４７Ａを通って風路２５Ａに流入する。風路２５Ａを進行した給気流２２Ｂは、開口４５Ａを通って給気風路１１Ｂへ進行する。熱交換器４Ｂの二次通路３２を通過した給気流２２Ｂと熱交換器４Ｃの二次通路３２を通過した給気流２２Ｂとは、仕切板１９に衝突して図８に示す風路２４Ｃへ流入する。風路２４Ｃを進行した給気流２２Ｂは、図６に示すように、開口４７Ｂを通って風路２５Ｃへ流入する。風路２５Ｃを進行した給気流２２Ｂは、開口４５Ｂを通って給気風路１１Ｂへ進行する。２つの風路２４Ａ，２４Ｃは、第１の熱交換器４の二次通路３２から流出した給気流２２Ｂが通過する第２の給気風路である。第２の給気風路である風路２４Ａ，２４Ｃは、第２の熱交換器５のマイナスＺ方向側に形成されている。２つの風路２５Ａ，２５Ｃは、第２の給気風路である風路２４Ａ，２４Ｃから流入した給気流２２Ｂが通過する第４の給気風路である。
【００６１】
図４に示す排気吸込口９から排気風路１２Ａへ進行した排気流２１のうち、開口４９Ａにて仕切板１８よりプラスＺ方向側を通った排気流２１Ａは、風路２５Ｂを進行して、２つの熱交換器５Ａ，５Ｂのいずれかに流入する。また、開口４９Ｂにて仕切板１８よりプラスＺ方向側を通った排気流２１Ａは、風路２５Ｄを進行して、熱交換器５Ｃに流入する。２つの風路２５Ｂ，２５Ｄは、第２の熱交換器５の一次通路３１へ流入させる排気流２１Ａが通過する第４の排気風路である。第４の排気風路である風路２５Ｂ，２５Ｄと第４の給気風路である風路２５Ａ，２５Ｃとは、Ｘ軸方向へ配列されている。
【００６２】
熱交換器５Ａの一次通路３１を進行した排気流２１Ａは、仕切板１９での衝突によりプラスＺ方向へ進行して、図５に示す風路２３Ａに流入する。風路２３Ａを進行した排気流２１Ａは、開口４６Ａを通って、図７に示すように風路２６Ａに流入する。風路２６Ａを進行した排気流２１Ａは、開口４８Ａを通って排気風路１２Ｂへ進行する。熱交換器５Ｂの一次通路３１を通過した排気流２１Ａと熱交換器５Ｃの一次通路３１を通過した排気流２１Ａとは、仕切板１９に衝突して図５に示す風路２３Ｃに流入する。風路２３Ｃを進行した排気流２１Ａは、開口４６Ｂを通って、図７に示すように風路２６Ｃに流入する。風路２６Ｃを進行した排気流２１Ａは、開口４８Ｂを通って排気風路１２Ｂへ進行する。２つの風路２３Ａ，２３Ｃは、第２の熱交換器５の一次通路３１から流出した排気流２１Ａが通過する第１の排気風路である。第１の排気風路である風路２３Ａ，２３Ｃは、第１の熱交換器４のプラスＺ方向側に形成されている。２つの風路２６Ａ，２６Ｃは、第１の排気風路である風路２３Ａ，２３Ｃから流入した排気流２１Ａが通過する第３の排気風路である。第３の排気風路である風路２６Ａ，２６Ｃと第３の給気風路である風路２６Ｂ，２６Ｄとは、Ｘ軸方向へ配列されている。
【００６３】
図４に示す排気吸込口９から排気風路１２Ａへ進行した排気流２１のうち、開口４９Ａにて仕切板１８よりマイナスＺ方向側を通った排気流２１Ｂは、風路２４Ｂを進行して、２つの熱交換器４Ａ，４Ｂのいずれかに流入する。また、開口４９Ｂにて仕切板１８よりマイナスＺ方向側を通った排気流２１Ｂは、風路２４Ｄを進行して、熱交換器４Ｃに流入する。熱交換器４Ａの一次通路３１を通過した排気流２１Ｂは、風路２６Ａを進行し、開口４８Ａを通って排気風路１２Ｂへ進行する。熱交換器４Ｂの一次通路３１を通過した排気流２１Ｂと熱交換器４Ｃの一次通路３１を通過した排気流２１Ｂとは、風路２６Ｃを進行し、開口４８Ｂを通って排気風路１２Ｂへ進行する。２つの風路２４Ｂ，２４Ｄは、第１の熱交換器４の一次通路３１へ流入させる排気流２１Ｂが通過する第２の排気風路である。第２の排気風路である風路２４Ｂ，２４Ｄは、第２の熱交換器５のマイナスＺ方向側に形成されている。
【００６４】
熱交換器４Ａ，４Ｂ，４Ｃは、図６に示す給気流２２Ｂと図８に示す排気流２１Ｂとの熱交換を行う。熱交換器５Ａ，５Ｂ，５Ｃは、図５に示す給気流２２Ａと図７に示す排気流２１Ａとの間の熱交換を行う。
【００６５】
第１の仕切りである仕切板１７は、第１の排気風路および第１の給気風路である風路２３Ａ，２３Ｃ，２３Ｂ，２３Ｄと第３の排気風路および第３の給気風路である風路２６Ａ，２６Ｃ，２６Ｂ，２６Ｄとの間に設けられている。第２の仕切りである仕切板１８は、第２の排気風路および第２の給気風路である風路２４Ｂ，２４Ｄ，２４Ａ，２４Ｃと第４の排気風路および第４の給気風路である風路２５Ｂ，２５Ｄ，２５Ａ，２５Ｃとの間に設けられている。換気装置１００は、仕切板１７，１８が設けられていることで、排気流２１の風路と給気流２２の風路とを分離させることができる。
【００６６】
第３の仕切りである仕切板１９は、Ｚ軸方向における仕切板１７と仕切板１８との間の範囲において、第１の熱交換器４と第２の熱交換器５との間に設けられている。換気装置１００は、仕切板１９が設けられていることで、第１の熱交換器４の二次通路３２を通過した給気流２２を第２の給気風路である風路２４Ａ，２４Ｃへ導くとともに、第２の熱交換器５の一次通路３１を通過した排気流２１を第１の排気風路である風路２３Ａ，２３Ｃへ導くことができる。
【００６７】
換気装置１００は、第３の給気風路と第３の排気風路とをＺ軸方向へ配列させることで、第３の給気風路および第３の排気風路と第１の給気風路および第１の排気風路とを１枚の仕切板１７によって分離可能とし、簡易な構成にできる。換気装置１００は、第４の給気風路と第４の排気風路とをＺ軸方向へ配列させることで、第４の給気風路および第４の排気風路と第２の給気風路および第２の排気風路とを１枚の仕切板１８によって分離可能とし、簡易な構成にできる。
【００６８】
換気装置１００は、仕切板４１Ａ，４１Ｂ，４１Ｃが設けられていることで、第１の排気風路である風路２３Ａ，２３Ｃと第１の給気風路である風路２３Ｂ，２３Ｄとを分離させることができる。換気装置１００は、仕切板５０Ａ，５０Ｂ，５０Ｃが設けられていることで、第２の排気風路である風路２４Ｂ，２４Ｄと第２の給気風路である風路２４Ａ，２４Ｃとを分離させることができる。
【００６９】
換気装置１００は、仕切板４３Ａ，４３Ｂ，４３Ｃが設けられていることで、第３の排気風路である風路２６Ａ，２６Ｃと第３の給気風路である風路２６Ｂ，２６Ｄとを分離させることができる。換気装置１００は、仕切板４２Ａ，４２Ｂ，４２Ｃが設けられていることで、第４の排気風路である風路２５Ｂ，２５Ｄと第４の給気風路である風路２５Ａ，２５Ｃとを分離させることができる。
【００７０】
なお、換気装置１００は、仕切板４３Ａ，４３Ｂ，４３Ｃを省略して、熱交換器４Ａ，４Ｂ，４ＣのうちマイナスＹ方向へ向けられた稜線に仕切板１５が当てられていても良い。この場合も、換気装置１００は、第３の排気風路である風路２６Ａ，２６Ｃと第３の給気風路である風路２６Ｂ，２６Ｄとを分離させることができる。また、換気装置１００は、仕切板４２Ａ，４２Ｂ，４２Ｃを省略して、熱交換器５Ａ，５Ｂ，５ＣのうちプラスＹ方向へ向けられた稜線に仕切板１６が当てられていても良い。この場合も、換気装置１００は、第４の排気風路である風路２５Ｂ，２５Ｄと第４の給気風路である風路２５Ａ，２５Ｃとを分離させることができる。
【００７１】
換気装置１００は、第２の熱交換器５よりもマイナスＺ方向側に第１の熱交換器４を突出させたことで、第２の熱交換器５へ給気流２２Ａを導くための風路２３Ｂ，２３Ｄを第１の熱交換器４のプラスＺ方向側に確保できる。換気装置１００は、第２の熱交換器５から流出した排気流２１Ａを排気風路１２Ｂへ導くための風路２３Ａ，２３Ｃを第１の熱交換器４のプラスＺ方向側に確保できる。また、換気装置１００は、第１の熱交換器４よりもプラスＺ方向側に第２の熱交換器５を突出させたことで、第１の熱交換器４へ排気流２１Ｂを導くための風路２４Ｂ，２４Ｄを第２の熱交換器５のマイナスＺ方向側に確保できる。換気装置１００は、第１の熱交換器４から流出した給気流２２Ｂを給気風路１１Ｂへ導くための風路２４Ａ，２４Ｃを第２の熱交換器５のマイナスＺ方向側に確保できる。これにより、換気装置１００は、第１の熱交換器４と第２の熱交換器５とをＹ軸方向へ配列させた構成において、第１の熱交換器４と第２の熱交換器５とをＺ軸方向へ配列させた場合と同様の熱交換を実現することができる。
【００７２】
なお、Ｘ軸方向へ配列させる第１の熱交換器４の数とＸ軸方向へ配列させる第２の熱交換器５の数とは、３つに限られず、１つまたは２つであっても良く、３つより多くても良い。第１の熱交換器４の数と第２の熱交換器５の数とは、換気装置１００のサイズ、または換気装置１００に必要とされる性能を基に、適宜決定可能とする。
【００７３】
第１の熱交換器４を第２の熱交換器５よりも突出させる第１の側は、マイナスＺ方向側に代えてプラスＺ方向側であっても良い。第２の熱交換器５を第１の熱交換器４よりも突出させる第２の側は、プラスＺ方向側に代えてマイナスＺ方向側であっても良い。第１の熱交換器４と第２の熱交換器５とは、Ｚ軸方向における互いに逆の側に突出していれば良い。
【００７４】
換気装置１００における風路は、ケーシング１内の上方側の空間へ吸い込まれた給気流２２をケーシング１内の上方側の空間から吹き出すとともに、ケーシング１内の下方側の空間へ吸い込まれた排気流２１をケーシング１内の下方側の空間から吹き出すように配置されたものに限られない。風路の配置は、ケーシング１内の下方側の空間へ吸い込まれた給気流２２をケーシング１内の下方側の空間から吹き出すとともに、ケーシング１内の上方側の空間へ吸い込まれた排気流２１をケーシング１内の上方側の空間から吹き出すように変更しても良い。
【００７５】
風路の配置は、ケーシング１内の上方側の空間へ吸い込まれた給気流２２をケーシング１内の下方側の空間から吹き出すとともに、ケーシング１内の上方側の空間へ吸い込まれた排気流２１をケーシング１内の下方側の空間から吹き出すように変更しても良い。風路の配置は、ケーシング１内の下方側の空間へ吸い込まれた給気流２２をケーシング１内の上方側の空間から吹き出すとともに、ケーシング１内の下方側の空間へ吸い込まれた排気流２１をケーシング１内の上方側の空間から吹き出すように変更しても良い。
【００７６】
実施の形態１によると、換気装置１００において、第１の熱交換器４と第２の熱交換器５とはＹ軸方向に並べられている。また、換気装置１００において、第１の熱交換器４が第２の熱交換器５よりも第１の側に突出しており、かつ第２の熱交換器５が第１の熱交換器４よりも第２の側に突出している。これにより、換気装置１００は、熱交換換気装置において要求されるサイズ内にて熱交換器を収容しつつ圧力損失を低減することができるという効果を奏する。
【００７７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７８】
１  ケーシング、１Ａ  上面、１Ｂ  下面、１Ｃ，１Ｄ，１Ｅ，１Ｆ  側面、２  排気送風機、３  給気送風機、４  第１の熱交換器、４Ａ，４Ｂ，４Ｃ，５Ａ，５Ｂ，５Ｃ  熱交換器、５  第２の熱交換器、６  給気吸込口、７  排気吹出口、８  給気吹出口、９  排気吸込口、１１Ａ，１１Ｂ  給気風路、１２Ａ，１２Ｂ  排気風路、１３，１４，１５，１６，１７，１８，１９，４１Ａ，４１Ｂ，４１Ｃ，４２Ａ，４２Ｂ，４２Ｃ，４３Ａ，４３Ｂ，４３Ｃ，５０Ａ，５０Ｂ，５０Ｃ  仕切板、２１，２１Ａ，２１Ｂ  排気流、２２，２２Ａ，２２Ｂ  給気流、２３，２３Ａ，２３Ｂ，２３Ｃ，２３Ｄ，２４，２４Ａ，２４Ｂ，２４Ｃ，２４Ｄ，２５，２５Ａ，２５Ｂ，２５Ｃ，２５Ｄ，２６，２６Ａ，２６Ｂ，２６Ｃ，２６Ｄ  風路、３１  一次通路、３２  二次通路、３３  シート材、３４，３４Ａ，３４Ｂ  間隔保持部材、４４Ａ，４４Ｂ，４５Ａ，４５Ｂ，４６Ａ，４６Ｂ，４７Ａ，４７Ｂ，４８Ａ，４８Ｂ，４９Ａ，４９Ｂ  開口、１００  換気装置。
【図１】
2019106824.tif 000003
【図２】
2019106824.tif 000004
【図３】
2019106824.tif 000005
【図４】
2019106824.tif 000006
【図５】
2019106824.tif 000007
【図６】
2019106824.tif 000008
【図７】
2019106824.tif 000009
【図８】
2019106824.tif 000010
【図９】
2019106824.tif 000011
【図１０】
2019106824.tif 000012
【図１１】
2019106824.tif 000013
【図１２】
2019106824.tif 000014
【国際調査報告】
2019106824.tif 000015
2019106824.tif 000016
2019106824.tif 000017
2019106824.tif 000018